(57)【要約】【課題】スキャナのヘッドが固定されていた場合に印刷機能は利用できるようにする。【解決手段】複合装置は、原稿から画像を読み取る読み取り動作を実行する画像読み取り部と、媒体に印刷を施す印刷動作を実行する印刷部と、画像読み取り部に設けられ、画像読み取り部が読み取り動作を実行する際に、原稿に対して相対的に移動するヘッドと、ヘッドを移動しないように固定する固定機構と、固定機構によりヘッドが固定されているか否かを検出する検出部と、画像読み取り部および印刷部を制御する制御部であって、検出部によってヘッドが固定機構により固定されていないと検出された場合には、画像読み取り部による読み取り動作および印刷部による印刷動作を許容し、検出部によってヘッドが固定機構により固定されていると検出された場合には、画像読み取り部による読み取り動作を禁止する一方、印刷部による印刷動作を許容する制御部と、を備える。【選択図】図９
2007243611.tif 000002
【特許請求の範囲】
【請求項１】
（Ａ）原稿から画像を読み取る読み取り動作を実行する画像読み取り部と、
（Ｂ）媒体に印刷を施す印刷動作を実行する印刷部と、
（Ｃ）前記画像読み取り部に設けられ、前記画像読み取り部が前記読み取り動作を実行する際に、前記原稿に対して相対的に移動するヘッドと、
（Ｄ）前記ヘッドを移動しないように固定する固定機構と、
（Ｅ）前記固定機構により前記ヘッドが固定されているか否かを検出する検出部と、
（Ｆ）前記画像読み取り部および前記印刷部を制御する制御部であって、
前記検出部によって前記ヘッドが前記固定機構により固定されていないと検出された場合には、前記画像読み取り部による前記読み取り動作および前記印刷部による前記印刷動作を許容し、
前記検出部によって前記ヘッドが前記固定機構により固定されていると検出された場合には、前記画像読み取り部による前記読み取り動作を禁止する一方、前記印刷部による前記印刷動作を許容する制御部と、
（Ｇ）を備えたことを特徴とする複合装置。
【請求項２】
前記ヘッドには、前記原稿から前記画像を読み取るための画像読み取りセンサが設けられていることを特徴とする請求項１に記載の複合装置。
【請求項３】
ユーザが前記固定機構により前記ヘッドを固定するための操作部を備えたことを特徴とする請求項１または２に記載の複合装置。
【請求項４】
前記操作部として固定用レバーを備えたことを特徴とする請求項３に記載の複合装置。
【請求項５】
前記検出部は、前記固定用レバーが所定の位置にあるか否かを検出する検出センサを有していることを特徴とする請求項４に記載の複合装置。
【請求項６】
前記検出センサが光学センサにより構成されていることを特徴とする請求項５に記載の複合装置。
【請求項７】
前記制御部は、前記検出部によって前記ヘッドが前記固定機構により固定されていると検出された場合に、前記検出部によって前記ヘッドが前記固定機構により固定されていないと検出された場合に比べて前記画像読み取り部における電力消費量が小さくなるように前記画像読み取り部を制御することを特徴とする請求項１〜６のいずれか１項に記載の複合装置。
【請求項８】
前記検出部によって前記ヘッドが前記固定機構により固定されていると検出された場合に、これを報知する報知部を備えたことを特徴とする請求項１〜７のいずれか１項に記載の複合装置。
【請求項９】
前記報知部として、前記検出部によって前記ヘッドが前記固定機構により固定されていると検出された場合にメッセージが表示される表示部を備えたことを特徴とする請求項８に記載の複合装置。
【請求項１０】
前記制御部は、前記画像読み取り部に対する画像読み取り命令を受信したときに、前記検出部により前記ヘッドが前記固定機構により固定されていると検出された場合に、その旨を前記報知部により報知することを特徴とする請求項８または９に記載の複合装置。
【請求項１１】
前記画像読み取り部に設けられ、前記原稿から前記画像が読み取られる際に前記原稿を覆う原稿用カバーと、前記原稿用カバーの開閉状態を検出するカバー検出部とを備え、
前記制御部は、前記カバー検出部により前記原稿用カバーが開状態であると検出されたときに、前記検出部により前記ヘッドが前記固定機構により固定されていると検出された場合に、前記報知部によりその旨が報知されることを特徴とする請求項８〜１０のいずれか１項に記載の複合装置。
【請求項１２】
前記画像読み取り部により前記原稿として後に読み取られるマークシートが前記印刷部により印刷される際に、前記検出部により前記ヘッドが前記固定機構により固定されていると検出された場合に、その旨が前記報知部により報知されることを特徴とする請求項８〜１１のいずれか１項に記載の複合装置。
【請求項１３】
（Ａ）原稿から画像を読み取る読み取り動作を実行する画像読み取り部と、
（Ｂ）媒体に印刷を施す印刷動作を実行する印刷部と、
（Ｃ）前記画像読み取り部に設けられ、前記画像読み取り部が前記読み取り動作を実行する際に、前記原稿に対して相対的に移動するヘッドと、
（Ｄ）前記ヘッドを移動しないように固定する固定機構と、
（Ｅ）前記固定機構により前記ヘッドが固定されているか否かを検出する検出部と、
（Ｆ）前記画像読み取り部および前記印刷部を制御する制御部であって、
前記検出部によって前記ヘッドが前記固定機構により固定されていないと検出された場合には、前記画像読み取り部による前記読み取り動作および前記印刷部による前記印刷動作を許容し、
前記検出部によって前記ヘッドが前記固定機構により固定されていると検出された場合には、前記画像読み取り部による前記読み取り動作を禁止する一方、前記印刷部による前記印刷動作を許容する制御部と、
（Ｇ）を備え、
（Ｈ）前記ヘッドには、前記原稿から前記画像を読み取るための画像読み取りセンサが設けられ、
（Ｉ）ユーザが前記固定機構により前記ヘッドを固定するための操作部を備え、
（Ｊ）前記操作部として固定用レバーを備え、
（Ｋ）前記検出部は、前記固定用レバーが所定の位置にあるか否かを検出する検出センサを有し、
（Ｌ）前記検出センサが光学センサにより構成され、
（Ｍ）前記制御部は、前記検出部によって前記ヘッドが前記固定機構により固定されていると検出された場合に、前記検出部によって前記ヘッドが前記固定機構により固定されていないと検出された場合に比べて前記画像読み取り部における電力消費量が小さくなるように前記画像読み取り部を制御し、
（Ｎ）前記検出部によって前記ヘッドが前記固定機構により固定されていると検出された場合に、これを報知する報知部を備え、
（Ｏ）前記報知部として、前記検出部によって前記ヘッドが前記固定機構により固定されていると検出された場合にメッセージが表示される表示部を備え、
（Ｐ）前記制御部は、前記画像読み取り部に対する画像読み取り命令を受信したときに、前記検出部により前記ヘッドが前記固定機構により固定されていると検出された場合に、その旨を前記報知部により報知し、
（Ｑ）前記画像読み取り部に設けられ、前記原稿から前記画像が読み取られる際に前記原稿を覆う原稿用カバーと、前記原稿用カバーの開閉状態を検出するカバー検出部とを備え、前記制御部は、前記カバー検出部により前記原稿用カバーが開状態であると検出されたときに、前記検出部により前記ヘッドが前記固定機構により固定されていると検出された場合に、その旨が前記報知部により報知され、
（Ｒ）前記画像読み取り部により前記原稿として後に読み取られるマークシートが前記印刷部により印刷される際に、前記検出部により前記ヘッドが前記固定機構により固定されていると検出された場合に、その旨が前記報知部により報知されることを特徴とする複合装置。
【請求項１４】
原稿から画像を読み取る読み取り動作を実行する画像読み取り部と、媒体に印刷を施す印刷動作を実行する印刷部とを備えた複合装置において実行されるプログラムであって、
前記画像読み取り部に設けられ、前記画像読み取り部が前記読み取り動作を実行する際に、前記原稿に対して相対的に移動するヘッドが固定機構により移動しないように固定されていないと検出部により検出された場合には、前記画像読み取り部による前記読み取り動作および前記印刷部による前記印刷動作を許容し、
前記検出部によって前記ヘッドが前記固定機構により固定されていると検出された場合には、前記画像読み取り部による前記読み取り動作を禁止する一方、前記印刷部による前記印刷動作を許容するステップを実行することを特徴とするプログラム。
【請求項１５】
コンピュータと、このコンピュータに接続可能な複合装置とを具備したシステムであって、
前記複合装置は、原稿から画像を読み取る読み取り動作を実行する画像読み取り部と、
媒体に印刷を施す印刷動作を実行する印刷部と、
前記画像読み取り部に設けられ、前記画像読み取り部が前記読み取り動作を実行する際に、前記原稿に対して相対的に移動するヘッドと、
前記ヘッドを移動しないように固定する固定機構と、
前記固定機構により前記ヘッドが固定されているか否かを検出する検出部と、
前記画像読み取り部および前記印刷部を制御する制御部であって、前記検出部によって前記ヘッドが前記固定機構により固定されていないと検出された場合には、前記画像読み取り部による前記読み取り動作および前記印刷部による前記印刷動作を許容し、前記検出部によって前記ヘッドが前記固定機構により固定されていると検出された場合には、前記画像読み取り部による前記読み取り動作を禁止する一方、前記印刷部による前記印刷動作を許容する制御部と、
を備えたことを特徴とするシステム。
【発明の詳細な説明】
【技術分野】
【０００１】
本発明は、原稿から画像を読み取る際に移動するヘッドを有する複合装置、プログラムおよびシステムに関する。
【背景技術】
【０００２】
近年、スキャナ機能やプリンタ機能（印刷機能）、ローカルコピー機能などを備えた複合機とも呼ばれる複合装置が知られている。この複合装置は、原稿から画像を読み取るスキャナ部（画像読み取り部）と、媒体に対して画像を印刷するプリンタ部（印刷部）とを備えている。スキャナ機能では、スキャナ部により原稿から画像を読み取って画像データを生成してパソコンなどの外部のコンピュータに向けて出力する。また、プリント機能では、パソコンなどの外部のコンピュータから送られてきた印刷データに基づき印刷用紙等の各種媒体にプリンタ部により印刷をする。また、ローカルコピー機能では、スキャナ部により原稿から画像を読み取り、そして読み取った画像をプリンタ部により媒体に印刷して複写する。
【０００３】
ところで、このような複合装置では、一般的に、スキャナ部に原稿から画像を読み取る際に、原稿に対して相対的に移動するヘッドが設けられている。このヘッドには、原稿から画像を読み取るためのセンサが設けられていて、ヘッドが原稿に対して相対的に移動することで、原稿全体の画像をセンサが読み取るしくみになっている。このようなヘッドにあっては、当該複合装置の輸送時等において激しい揺れ等によってヘッドの駆動機構等に大きなダメージ等を与えてしまう虞がある。そこで、このような複合装置にあっては、一般に、輸送時にヘッドが不用意に動いてしまわないようにするためにヘッドを固定する固定機構が設けられている。この固定機構は、輸送に際してユーザ等により操作される。これにより、複合装置は安全に輸送することができる。複合装置の輸送終了後は、ユーザ等により固定機構が解除されるようになっている（特許文献１、２参照）。
【特許文献１】特開昭６３−１９８０５６号公報
【特許文献２】特開２００２−６４６７９号公報
【発明の開示】
【発明が解決しようとする課題】
【０００４】
このような複合装置にあっては、次のような問題が発生していた。すなわち、複合装置の輸送終了後、複合装置の使用に際しては、ユーザ等により固定機構が解除されてヘッドは再び移動可能な状態になるはずである。ところが、ユーザ等が固定機構の解除を忘れていたり、または知らなかったりして、固定機構が解除されない場合があった。このように固定機構が解除されなかった場合には、複合装置の電源が入れられたときに、装置全体の初期動作にてスキャナ部のヘッドが動くことができず、大きな異音等が発生して、装置としてエラーとなってしまった。このように装置としてエラーとなった場合には、装置全体の機能が停止してしまうことになり、本来スキャナ部のみが使用不能であるにもかかわらず、プリンタ部にも大きな影響を与えてしまうといった別の問題も発生した。
【０００５】
本発明は、このような事情に鑑みてなされたものであって、その目的は、スキャナのヘッドが固定されていても、印刷機能は利用することができるようにすることにある。
【課題を解決するための手段】
【０００６】
前記目的を達成するための主たる発明は、
（Ａ）原稿から画像を読み取る読み取り動作を実行する画像読み取り部と、
（Ｂ）媒体に印刷を施す印刷動作を実行する印刷部と、
（Ｃ）前記画像読み取り部に設けられ、前記画像読み取り部が前記読み取り動作を実行する際に、前記原稿に対して相対的に移動するヘッドと、
（Ｄ）前記ヘッドを移動しないように固定する固定機構と、
（Ｅ）前記固定機構により前記ヘッドが固定されているか否かを検出する検出部と、
（Ｆ）前記画像読み取り部および前記印刷部を制御する制御部であって、
前記検出部によって前記ヘッドが前記固定機構により固定されていないと検出された場合には、前記画像読み取り部による前記読み取り動作および前記印刷部による前記印刷動作を許容し、
前記検出部によって前記ヘッドが前記固定機構により固定されていると検出された場合には、前記画像読み取り部による前記読み取り動作を禁止する一方、前記印刷部による前記印刷動作を許容する制御部と、
（Ｇ）を備えたことを特徴とする複合装置である。
【０００７】
本発明の他の特徴は、本明細書及び添付図面の記載により明らかにする。
【発明を実施するための最良の形態】
【０００８】
本明細書及び添付図面の記載により、少なくとも以下の事項が明らかとなる。
【０００９】
（Ａ）原稿から画像を読み取る読み取り動作を実行する画像読み取り部と、
（Ｂ）媒体に印刷を施す印刷動作を実行する印刷部と、
（Ｃ）前記画像読み取り部に設けられ、前記画像読み取り部が前記読み取り動作を実行する際に、前記原稿に対して相対的に移動するヘッドと、
（Ｄ）前記ヘッドを移動しないように固定する固定機構と、
（Ｅ）前記固定機構により前記ヘッドが固定されているか否かを検出する検出部と、
（Ｆ）前記画像読み取り部および前記印刷部を制御する制御部であって、
前記検出部によって前記ヘッドが前記固定機構により固定されていないと検出された場合には、前記画像読み取り部による前記読み取り動作および前記印刷部による前記印刷動作を許容し、
前記検出部によって前記ヘッドが前記固定機構により固定されていると検出された場合には、前記画像読み取り部による前記読み取り動作を禁止する一方、前記印刷部による前記印刷動作を許容する制御部と、
（Ｇ）を備えたことを特徴とする複合装置。
【００１０】
このような複合装置にあっては、ヘッドが固定されていない場合には、画像読み取り部による読み取り動作および印刷部による印刷動作を許容し、ヘッドが固定されていた場合には、画像読み取り部による読み取り動作を禁止する一方、印刷部による印刷動作を許容することで、ヘッドが固定されていた場合であっても、印刷部により印刷を行うことができる。これにより、装置全体が使用不可能な状態になるのを回避することができる。
【００１１】
かかる複合装置にあっては、前記ヘッドには、前記原稿から前記画像を読み取るための画像読み取りセンサが設けられていても良い。このような画像読み取りセンサがヘッドに設けられれば、原稿から画像を簡単に読み取ることができる。
【００１２】
また、かかる複合装置にあっては、ユーザが前記固定機構により前記ヘッドを固定するための操作部を備えても良い。このような操作部を備えれば、ユーザが簡単に固定機構によりヘッドを固定することができる。
【００１３】
また、かかる複合装置にあっては、前記操作部として固定用レバーを備えても良い。このような固定用レバーを備えれば、ユーザが簡単に固定機構によりヘッドを固定することができる。
【００１４】
また、かかる複合装置にあっては、前記検出部は、前記固定用レバーが所定の位置にあるか否かを検出する検出センサを有していても良い。このような検出センサを備えれば、固定用レバーが所定の位置にあるか否かを簡単に検出することができる。
【００１５】
また、かかる複合装置にあっては、前記検出センサが光学センサにより構成されていても良い。このように検出センサが光学センサにより構成されることで、固定機構によりヘッドが固定されているか否かを簡単に検出することができる。
【００１６】
また、かかる複合装置にあっては、前記制御部は、前記検出部によって前記ヘッドが前記固定機構により固定されていると検出された場合に、前記検出部によって前記ヘッドが前記固定機構により固定されていないと検出された場合に比べて前記画像読み取り部における電力消費量が小さくなるように前記画像読み取り部を制御しても良い。このように検出部によってヘッドが固定機構により固定されていると検出された場合に、制御部が、検出部によってヘッドが固定機構により固定されていないと検出された場合に比べて、画像読み取り部における電力消費量が小さくなるように画像読み取り部を制御することで、消費電力の削減を図ることができ、省電力化を達成することができる。
【００１７】
また、かかる複合装置にあっては、前記検出部によって前記ヘッドが前記固定機構により固定されていると検出された場合に、これを報知する報知部を備えても良い。このような報知部を備えることで、検出部によってヘッドが固定機構により固定されていると検出された場合に、これを報知することができる。
【００１８】
また、かかる複合装置にあっては、前記報知部として、前記検出部によって前記ヘッドが前記固定機構により固定されていると検出された場合にメッセージが表示される表示部を備えても良い。このような表示部を備えることで、検出部によってヘッドが固定機構により固定されていると検出された場合に、これをメッセージによって報知することができる。
【００１９】
また、かかる複合装置にあっては、前記制御部は、前記画像読み取り部に対する画像読み取り命令を受信したときに、前記検出部により前記ヘッドが前記固定機構により固定されていると検出された場合に、その旨を前記報知部により報知しても良い。このように画像読み取り部に対する画像読み取り命令を受信したときに、検出部によりヘッドが固定機構により固定されていると検出された場合に、これを報知することで、画像読み取り部にて画像の読み取りが行えない旨をユーザ等にスムーズに伝えることができる。
【００２０】
また、かかる複合装置にあっては、前記画像読み取り部に設けられ、前記原稿から前記画像が読み取られる際に前記原稿を覆う原稿用カバーと、前記原稿用カバーの開閉状態を検出するカバー検出部とを備え、前記制御部は、前記カバー検出部により前記原稿用カバーが開状態であると検出されたときに、前記検出部により前記ヘッドが前記固定機構により固定されていると検出された場合に、その旨が前記報知部により報知されても良い。このようにカバー検出部により原稿用カバーが開状態であると検出されたときに、検出部により前記ヘッドが前記固定機構により固定されていると検出された場合に、その旨を報知することができ、ユーザ等にヘッドの固定の解除を促すことができる。
【００２１】
また、かかる複合装置にあっては、前記画像読み取り部により前記原稿として後に読み取られるマークシートが前記印刷部により印刷される際に、前記検出部により前記ヘッドが前記固定機構により固定されていると検出された場合に、その旨が前記報知部により報知されても良い。このようなマークシートが印刷される際に、検出部によりヘッドが固定機構により固定されていると検出された場合に、その旨が報知されることで、ユーザ等にヘッドの固定の解除を促すことができる。
【００２２】
（Ａ）原稿から画像を読み取る読み取り動作を実行する画像読み取り部と、
（Ｂ）媒体に印刷を施す印刷動作を実行する印刷部と、
（Ｃ）前記画像読み取り部に設けられ、前記画像読み取り部が前記読み取り動作を実行する際に、前記原稿に対して相対的に移動するヘッドと、
（Ｄ）前記ヘッドを移動しないように固定する固定機構と、
（Ｅ）前記固定機構により前記ヘッドが固定されているか否かを検出する検出部と、
（Ｆ）前記画像読み取り部および前記印刷部を制御する制御部であって、
前記検出部によって前記ヘッドが前記固定機構により固定されていないと検出された場合には、前記画像読み取り部による前記読み取り動作および前記印刷部による前記印刷動作を許容し、
前記検出部によって前記ヘッドが前記固定機構により固定されていると検出された場合には、前記画像読み取り部による前記読み取り動作を禁止する一方、前記印刷部による前記印刷動作を許容する制御部と、
（Ｇ）を備え、
（Ｈ）前記ヘッドには、前記原稿から前記画像を読み取るための画像読み取りセンサが設けられ、
（Ｉ）ユーザが前記固定機構により前記ヘッドを固定するための操作部を備え、
（Ｊ）前記操作部として固定用レバーを備え、
（Ｋ）前記検出部は、前記固定用レバーが所定の位置にあるか否かを検出する検出センサを有し、
（Ｌ）前記検出センサが光学センサにより構成され、
（Ｍ）前記制御部は、前記検出部によって前記ヘッドが前記固定機構により固定されていると検出された場合に、前記検出部によって前記ヘッドが前記固定機構により固定されていないと検出された場合に比べて前記画像読み取り部における電力消費量が小さくなるように前記画像読み取り部を制御し、
（Ｎ）前記検出部によって前記ヘッドが前記固定機構により固定されていると検出された場合に、これを報知する報知部を備え、
（Ｏ）前記報知部として、前記検出部によって前記ヘッドが前記固定機構により固定されていると検出された場合にメッセージが表示される表示部を備え、
（Ｐ）前記制御部は、前記画像読み取り部に対する画像読み取り命令を受信したときに、前記検出部により前記ヘッドが前記固定機構により固定されていると検出された場合に、その旨を前記報知部により報知し、
（Ｑ）前記画像読み取り部に設けられ、前記原稿から前記画像が読み取られる際に前記原稿を覆う原稿用カバーと、前記原稿用カバーの開閉状態を検出するカバー検出部とを備え、前記制御部は、前記カバー検出部により前記原稿用カバーが閉状態であると検出されたときに、前記検出部により前記ヘッドが前記固定機構により固定されていると検出された場合に、その旨が前記報知部により報知され、
（Ｒ）前記画像読み取り部により前記原稿として後に読み取られるマークシートが前記印刷部により印刷される際に、前記検出部により前記ヘッドが前記固定機構により固定されていると検出された場合に、その旨が前記報知部により報知されることを特徴とする複合装置。
【００２３】
原稿から画像を読み取る読み取り動作を実行する画像読み取り部と、媒体に印刷を施す印刷動作を実行する印刷部とを備えた複合装置において実行されるプログラムであって、
前記画像読み取り部に設けられ、前記画像読み取り部が前記読み取り動作を実行する際に、前記原稿に対して相対的に移動するヘッドが固定機構により移動しないように固定されていないと検出部により検出された場合には、前記画像読み取り部による前記読み取り動作および前記印刷部による前記印刷動作を許容し、
前記検出部によって前記ヘッドが前記固定機構により固定されていると検出された場合には、前記画像読み取り部による前記読み取り動作を禁止する一方、前記印刷部による前記印刷動作を許容するステップを実行することを特徴とするプログラム。
【００２４】
コンピュータと、このコンピュータに接続可能な複合装置とを具備したシステムであって、
前記複合装置は、原稿から画像を読み取る読み取り動作を実行する画像読み取り部と、
媒体に印刷を施す印刷動作を実行する印刷部と、
前記画像読み取り部に設けられ、前記画像読み取り部が前記読み取り動作を実行する際に、前記原稿に対して相対的に移動するヘッドと、
前記ヘッドを移動しないように固定する固定機構と、
前記固定機構により前記ヘッドが固定されているか否かを検出する検出部と、
前記画像読み取り部および前記印刷部を制御する制御部であって、前記検出部によって前記ヘッドが前記固定機構により固定されていないと検出された場合には、前記画像読み取り部による前記読み取り動作および前記印刷部による前記印刷動作を許容し、前記検出部によって前記ヘッドが前記固定機構により固定されていると検出された場合には、前記画像読み取り部による前記読み取り動作を禁止する一方、前記印刷部による前記印刷動作を許容する制御部と、
を備えたことを特徴とするシステム。
【００２５】
＝＝＝複合装置の概要＝＝＝
本発明に係る複合装置の一実施形態について説明する。この複合装置は、原稿から画像を読み取って画像データを生成するスキャナ部と、媒体に対して印刷を施すプリンタ部とを備えている。なお、ここで、スキャナ部は、「画像読み取り部」に相当する。また、プリンタ部は、「印刷部」に相当する。
【００２６】
図１〜図６は、複合装置の一例について説明したものである。図１は、複合装置１の外観を示した斜視図である。図２は、複合装置１のスキャナ部１０の概要を説明する斜視図である。図３は、複合装置１のプリンタ部３０の概要を説明する斜視図である。図４は、複合装置１の内部構成を概略的に説明する説明図である。図５は、複合装置１の操作パネル２を説明する平面図である。図６は、複合装置１の制御部の構成例を説明した図である。
【００２７】
この複合装置１は、原稿から画像を読み取って画像データを生成するスキャナ機能と、ホストコンピュータ（図示外）から送られてきた印刷データに基づき印刷用紙等の各種媒体に印刷を施すプリンタ機能と、原稿から読み取った画像を媒体に印刷して複写するローカルコピー機能とを備えている。この複合装置１は、図１に示すように、その上部６に原稿５から画像を読み取るためのスキャナ部１０を備えている。また、この複合装置１は、その下部９に印刷用紙等の媒体Ｓに印刷をするためのプリンタ部３０を備えている。また、この複合装置１の前面部には、操作パネル２と、カードリーダー部２０とが設けられている。
【００２８】
スキャナ部１０は、図２に示すように、原稿５がセットされるガラス板が設けられた原稿台１１と、当該原稿台１１を上方から覆う原稿台カバー１２とを備えている。原稿台カバー１２は、複合装置１の後端部に回動可能に取付けられ、原稿台１１の上面部を開閉するように設けられている。また、本実施形態では、原稿台１１の左側部には、スキャナ部１０の内部に設けられたスキャナヘッド（図示外）を固定する固定用レバー２８が設けられている。この固定用レバー２８は、当該複合装置の輸送時などにおいてスキャナヘッド（図示外）を移動しないように固定するためのものである。これらスキャナヘッドおよび固定用レバー２８については、後で詳しく説明する。
【００２９】
一方、プリンタ部３０は、図３に示すように、スキャナ部１０を上方に持ち上げることによって、その内部が外部に開放されるように構成されている。つまり、スキャナ部１０は、複合装置１の後部にヒンジ部３４を介して回動自在に装着されている。スキャナ部１０が上方へと持ち上げられると、プリンタ部３０の内部が開放される。プリンタ部３０の内部には、キャリッジ４１などが配置されている。このキャリッジ４１には、インクを吐出するプリンタヘッド２１が設けられている。プリンタヘッド２１は、キャリッジ４１とともに移動しながら用紙等の媒体に向けてインクを吐出して印刷を施す。
【００３０】
この他に、プリンタ部３０には、媒体を搬送する搬送部（不図示）が設けられている。この搬送部は、複合装置１の背部に設けられた背部給紙口２２又は複合装置１の前部に設けられた前部給紙口２３にセットされた媒体をプリンタ部３０の内部へと送り込み、そして、プリンタヘッド２１により印刷された媒体を、複合装置１の前部に設けられた排紙トレイ２５を通じて排紙する。
【００３１】
また、複合装置１の下部９の前面の左右には、インクカートリッジカバー２７が設けられている。インクカートリッジ２６の取り付け時又は交換時、ユーザは、このインクカートリッジカバー２７を開き、インクカートリッジ２６を取り付け又は交換する。取り付け後又は交換後にユーザがインクカートリッジカバー２７を閉じることにより、インクカートリッジ２６のセットが完了する。このインクカートリッジ２６には、インクが収容されており、このインクは、キャリッジ４１に搭載されたプリンタヘッド２１に供給される。
【００３２】
カードリーダー部２０は、各種メモリカードを差し込むなどしてセットする部分である。そして、カードリーダー部２０は、セットされた各種メモリカードから、格納された画像データを読み込む。ここで読み込まれた画像データの画像は、プリンタ部３０により印刷することができる。カードリーダー部２０にセットすることができるメモリカードとしては、例えば、コンパクトフラッシュやスマートメディア、メモリスティック、ＳＤメモリカード、ｘＤピクチャーカードなどといった各種フラッシュメモリがある。この他、カードリーダー部２０は、デジタルカメラや携帯電話で使用される各種メモリカードに対応することができる。
【００３３】
＝＝＝スキャナ部・プリンタ部の内部機構＝＝＝
図４は、スキャナ部１０およびプリンタ部３０の内部機構を示したものである。
【００３４】
＜スキャナ部＞
スキャナ部１０は、同図の上部に示すように、原稿台１１の下側に、スキャナヘッド６０と、このスキャナヘッド６０を原稿台１１に対して所定の間隔を保ちつつ図中矢印Ａ方向に沿って平行に移動させる駆動機構６２と、このスキャナヘッド６０を支持しつつその移動を案内するガイド６４とを備えている。なお、ここで、スキャナヘッド６０は、「ヘッド」に相当する。
【００３５】
スキャナヘッド６０には、原稿台１１を介して原稿５に対し光を照射する光源としての露光ランプ６６と、原稿５により反射された反射光が入射するレンズ７０と、このレンズ７０を通じてスキャナヘッド６０の内部に取り込まれた反射光を受光するイメージセンサ７２とが設けられている。なお、ここで、イメージセンサ７２は、「画像読み取りセンサ」に相当する。
【００３６】
本実施形態では、このイメージセンサ７２は、光信号を電気信号に変換するフォトダイオード等の光電変換素子が列状に配置されたリニアＣＣＤセンサにより構成されている。このイメージセンサ７２により読み取られた画像に関するデータは、制御部５０に出力される。
【００３７】
また、駆動機構６２は、スキャナヘッド６０に接続されたタイミングベルト７４と、このタイミングベルト７４が掛け渡された一対のプーリ７５、７６と、一方のプーリ７５を回転駆動する駆動モータ７７とを備えている。駆動モータ７７は、制御部５０からの制御信号によって駆動制御される。
【００３８】
＜プリンタ部＞
一方、プリンタ部３０は、図４の下部に示すように、プリンタヘッド４１と、このプリンタ用キャリッジ４１に搭載されたプリンタヘッド２１と、プリンタ用キャリッジ４１を媒体Ｓに対して所定の間隔を保持しつつ相対的に平行に移動させる駆動機構２４と、媒体Ｓをプリンタ用キャリッジ４１の移動方向と直交する方向に沿って搬送する搬送機構３６とを備えている。
【００３９】
プリンタ用キャリッジ４１には、カートリッジ装着部が設けられ、このカートリッジ装着部には、ブラック（Ｋ）、シアン（Ｃ）、マゼンタ（Ｍ）、イエロ（Ｙ）等のインクが収容されたインクカートリッジが装着される。プリンタヘッド２１は、インクカートリッジから供給された各色のインクを媒体Ｓに向けて吐出して当該媒体Ｓ上にドットを形成して、媒体Ｓに画像を印刷する。プリンタヘッド２１には、各色別に、即ちここでは、ブラック（Ｋ）、シアン（Ｃ）、マゼンタ（Ｍ）およびイエロ（Ｙ）の各色別にノズルが設けられている。プリンタヘッド２１は、このノズルからそれぞれ異なる色のインクを媒体に向けて吐出する。
【００４０】
駆動機構２４は、プリンタ用キャリッジ４１に接続されたタイミングベルト４５と、このタイミングベルト４５に噛合されたプーリ４４と、このプーリ４４を回転駆動するキャリッジモータ４２と、プリンタ用キャリッジ４１の移動を案内するガイドレール４６と、プリンタ用キャリッジ４１の位置を検出するリニア式エンコーダとしてリニア式エンコーダ符号板５１およびこのリニア式エンコーダ符号板５１を読み取る検出部５２とを備えている。この駆動機構２４は、キャリッジモータ４２を駆動してプーリ４４を介してタイミングベルト４５を回転させる。これにより、プリンタ用キャリッジ４１は、媒体Ｓに対してガイドレール４６に沿って相対的に移動する。キャリッジモータ４２は、制御部５０からの制御信号により駆動制御される。
【００４１】
搬送機構３６は、プラテン１４と、搬送ローラ１７Ａと、当該搬送ローラ１７Ａを回転駆動する搬送モータ１５と、媒体Ｓが所定位置に到達したか否かを検出する紙検知センサ５３と、搬送ローラ１７Ａの回転量を検出するロータリ式エンコーダ５６とを備えている。プラテン１４は、プリンタヘッド２１に対向して配置されている。搬送モータ１５が駆動すると、搬送ローラ１７Ａが回転して、媒体Ｓがプラテン１４上を搬送される。搬送モータ１５は、制御部５０からの制御信号により駆動制御される。
【００４２】
印刷時には、媒体Ｓが搬送ローラ１７Ａにより間欠的に所定の搬送量で搬送され、その間欠的な搬送の合間にプリンタ用キャリッジ４１が、搬送ローラ１７Ａによる搬送方向に対して交差する方向に沿って移動しながら、プリンタヘッド２１から媒体Ｓに向けてインクが吐出されて印刷が施される。
【００４３】
＝＝＝操作パネル＝＝＝
図５は、操作パネル２について詳しく説明した図である。操作パネル２は、液晶ディスプレイ８０と、各種ボタンを有する。ここで設けられているボタンの種類としては、例えば、電源ボタン８２、設定ボタン８３、ストップボタン８４、モード選択ボタン８５、カーソル操作ボタン群８６、スタートボタン８７等がある。電源ボタン８２は、複合装置１の電源をオン／オフするためのボタンである。設定ボタン８３は、ヘッドクリーニング、ノズルチェック、インク残量等の設定や確認を行うためのボタンである。ストップボタン８４は、動作中の機能を中止するためのボタンである。モード選択ボタン８５は、複合装置１の機能の選択を行うためのボタンである。カーソル操作ボタン群８６は、液晶ディスプレイ８０に表示される項目の設定等を行うためのボタンである。スタートボタン８７は、カラーボタン８７Ｃ及びモノクロボタン８７Ｂを有し、カラー印刷又はモノクロ印刷の開始に用いられる。
【００４４】
＝＝＝制御部＝＝＝
＜制御部の構成＞
図６は、複合装置１の制御部５０の構成の一例について説明したものである。この制御部５０は、同図に示すように、ＣＰＵ９０と、メモリ９２と、外部通信インターフェイス９４と、操作入力インターフェイス９６と、表示制御部９８と、スキャナ制御部１００と、画像処理部１０２と、プリンタ制御部１０４と、カードインターフェイス１０６とを備えている。これらＣＰＵ９０やメモリ９２、外部通信インターフェイス９４、操作入力インターフェイス９６、表示制御部９８、スキャナ制御部１００、画像処理部１０２、プリンタ制御部１０４、カードインターフェイス１０６は、バス１０８を介して接続されている。
【００４５】
ＣＰＵ９０は、複合装置１全体の制御を司る。すなわち、ＣＰＵ９０は、外部通信インターフェイス９４や操作入力インターフェイス９６、表示制御部９８、スキャナ制御部１００、画像処理部１０２、プリンタ制御部１０４、カードインターフェイス１０６を制御する。メモリ９２は、ＣＰＵ９０により実行されるプログラムやそのプログラムで使用されるデータ等が格納される。メモリ９２は、ＲＯＭやＲＡＭ、フラッシュメモリ等の不揮発メモリなどにより構成される。
【００４６】
また、外部通信インターフェイス９４は、複合装置１に有線または無線等により接続されたホストコンピュータ１１０との間で通信を行う。具体的には、この外部通信インターフェイス９４は、ホストコンピュータ１１０から印刷データやコマンド等の各種データを受信したり、またスキャナ部１０により原稿から読み取られた画像のデータをホストコンピュータ１１０に送信したりする。
【００４７】
また、操作入力インターフェイス９６は、操作パネル２に設けられた各種操作ボタン、即ち、電源ボタン８２、設定ボタン８３、ストップボタン８４、モード選択ボタン８５、カーソル操作ボタン群８６、スタートボタン８７（８７Ｂ、８７Ｃ）に接続されて、ユーザから操作入力を受け付ける。なお、操作入力インターフェイス９６は、操作パネル２の各種操作ボタンを除く、他の操作ボタンを通じてユーザから操作入力を受け付けても良い。操作入力インターフェイス９６は、各種操作ボタン８２、８３、８４、８５、８６、８７（８７Ｂ、８７Ｃ）を通じて受け付けたユーザからの操作入力をＣＰＵ９０に伝達する。
【００４８】
また、表示制御部９８は、操作パネル２に設けられた液晶ディスプレイ８０の表示を制御する。具体的には、表示制御部９８は、ＣＰＵ９０の命令によって液晶ディスプレイ８０に表示される画像を制御したり、また、液晶ディスプレイ８０の明るさやコントラスト等の画質調整等を行う。
【００４９】
また、スキャナ制御部１００は、スキャナ部１０を制御する。具体的には、このスキャナ制御部１００は、スキャナ部１０のスキャナヘッド６０を移動させる駆動機構６２の駆動モータ７７を制御したり、また、スキャナヘッド６０に設けられた露光ランプ６６やイメージセンサ７２等を制御する。これによって、スキャナ制御部１００は、駆動機構６２の駆動モータ７７を駆動して、スキャナヘッド６０を原稿５に対して相対的に移動させることで、スキャナヘッド６０のイメージセンサ７２を通じて原稿５から画像を読み取る読み取り動作を実行する。
【００５０】
また、画像処理部１０２は、スキャナ部１０により原稿５から読み取られた画像をプリンタ部３０にて媒体に印刷する際に、スキャナ部１０から出力された画像のデータをプリンタ部３０にて印刷処理を実行するためのデータに変換する役割を果たす。具体的には、この画像処理部１０２は、スキャナ部１０により原稿５から読み取られた画像のデータとしてスキャナ制御部１００から受信したＲＧＢデータをＣＭＹＫデータに変換する。ここで、ＲＧＢデータは、レッド（Ｒ）、グリーン（Ｇ）、ブルー（Ｂ）の３色の色空間により表現された画像のデータである。一方、ＣＭＹＫデータは、シアン（Ｃ）、マゼンダ（Ｍ）、イエロー（Ｙ）、ブラック（Ｋ）の４色の色空間により表現される画像のデータである。画像処理部１０２は、この変換により得られたＣＭＹＫデータに対してハーフトーン処理を施して２値データ（又は２ビットデータ）に変換する。この２値データ（又は２ビットデータ）が、プリンタ部３０にて印刷処理を実行するためのデータとなる。このようにして生成された２値データ（又は２ビットデータ）は、プリンタ制御部１０４へと出力される。
【００５１】
プリンタ制御部１０４は、プリンタ部３０を制御する。具体的には、このプリンタ制御部１０４は、プリンタ部３０のプリンタ用キャリッジ４１を移動させる駆動機構２４のキャリッジモータ４２を制御したり、また、媒体を搬送する搬送機構３６の搬送モータ１５を制御したり、また、プリンタヘッド２１からのインク吐出を制御したりする。これによって、プリンタ制御部１０４は、駆動機構２４のキャリッジモータ４２や搬送機構３６の搬送モータ１５を駆動しながら、プリンタヘッド２１により媒体に向けてインクを吐出して、媒体に印刷を施す印刷動作を実行する。
【００５２】
また、カードインターフェイス１０６は、カードリーダー部２０にセットされた各種メモリカードから、当該メモリカードに格納された画像データを読み込む処理を行う。また、カードインターフェイス１０６は、カードリーダー部２０にセットされた各種メモリカードに対して画像データ等のデータを書き込む処理を行う。
【００５３】
＜制御部の動作＞
（１）スキャナモード
スキャナモードは、例えば、外部通信インターフェイス９４によって受信された、ホストコンピュータ１１０からの画像読み取り命令等によって起動する。このスキャナモードで、ＣＰＵ９０は、外部通信インターフェイス９４を通じて受信された、ホストコンピュータ１１０から送られてきた読み取り解像度や読み取り領域等の読み取り情報に基づき、スキャナ制御部１００を制御して、スキャナ部１０において読み取り動作を実行する。ここで、スキャナ制御部１００は、ＣＰＵ９０からの命令に従って、スキャナ部１０のスキャナヘッド６０を移動させる駆動機構６２の駆動モータ７７を駆動して、スキャナヘッド６０を原稿５に対して相対的に移動させる。これによって、スキャナ制御部１００は、スキャナヘッド６０に設けられたイメージセンサ７２を通じて原稿５から画像を読み取る。スキャナ制御部１００は、ここで読み取られた画像のデータをスキャナ部１０から受信する。そして、スキャナ制御部１００は、スキャナ部１０から取得した画像のデータを外部通信インターフェイス９４を通じてホストコンピュータ１１０に送信する。
【００５４】
（２）印刷モード
印刷モードは、例えば、外部通信インターフェイス９４によって受信された、ホストコンピュータ１１０からの印刷命令等によって起動する。この印刷モードで、ＣＰＵ９０は、外部通信インターフェイス９４を通じて受信された、ホストコンピュータ１１０から送られてきた印刷データに基づき、プリンタ制御部１０４を制御して印刷動作を実行する。ここで、プリンタ制御部１０４は、ＣＰＵ９０からの命令に従って、プリンタ部３０のプリンタ用キャリッジ４１を移動させる駆動機構２４のキャリッジモータ４２を制御したり、また、媒体を搬送する搬送機構３６の搬送モータ１５を制御したり、また、プリンタヘッド２１からのインク吐出を制御したりする。これによって、プリンタ制御部１０４は、プリンタ用キャリッジ４１に設けられたプリンタヘッド２１から媒体に向けてインクを吐出して印刷を施す。
【００５５】
（３）コピーモード
コピーモードは、モード選択ボタン８５が操作されて設定されることで起動する。そして、このコピーモードにおいて、操作パネル２上のスタートボタン８７（８７Ｂ，８７Ｃ）等がユーザにより操作されると、このことが操作入力インターフェイスを通じてＣＰＵ９０に伝達される。ＣＰＵ９０は、スキャナ制御部１００に対してスキャナ部１０にて原稿から画像を読み取る動作を実行すべき命令を発行する。スキャナ制御部１００は、この命令に従って、スキャナ部１０のスキャナヘッド６０を移動させる駆動機構６２の駆動モータ７７を駆動して、スキャナヘッド６０を原稿５に対して相対的に移動させる。これによって、スキャナ制御部１００は、スキャナヘッド６０に設けられたイメージセンサ７２を通じて原稿５から画像を読み取る読み取り動作を実行する。スキャナ制御部１００は、ここで読み取られた画像のデータをスキャナ部１０から受信する。そして、スキャナ制御部１００は、スキャナ部１０から取得した画像のデータを画像処理部１０２へと出力する。
【００５６】
画像処理部１０２は、スキャナ制御部１００から出力された画像のデータをプリンタ部３０にて印刷処理を実行するためのデータに変換する。ここで、画像処理部１０２は、スキャナ制御部１００からＲＧＢデータとして出力された画像のデータをＣＭＹＫデータに変換する。さらに、画像処理部１０２は、ここで、変換により得られたＣＭＹＫデータに対してハーフトーン処理を施して２値データ（又は２ビットデータ）に変換する。この２値データ（又は２ビットデータ）が、プリンタ部３０にて印刷処理を実行するためのデータとなる。画像処理部１０２は、このようにして生成した２値データ（又は２ビットデータ）をプリンタ制御部１０４に出力する。
【００５７】
プリンタ制御部１０４は、ＣＰＵ９０からの命令に従って、画像処理部１０２から出力された２値データ（又は２ビットデータ）に基づき、プリンタヘッド２１からインクを吐出する。このとき、プリンタ制御部１０４は、プリンタ部３０のプリンタ用キャリッジ４１を移動させる駆動機構２４のキャリッジモータ４２を制御するとともに、媒体を搬送する搬送機構３６の搬送モータ１５を制御する。このようにしてプリンタ制御部１０４は、媒体に対して印刷を施す。
【００５８】
（４）メモリカード印刷モード
メモリカード印刷モードは、例えば、操作パネル２上に設けられたモード選択ボタン８５が操作されるなどしてモードが選択されて、スタートボタン８７が操作されて実行される。このメモリカード印刷モードでは、カードリーダー部２０にセットされたメモリカードに格納された画像データについて印刷処理が実行される。ここで、ＣＰＵ９０は、カードインターフェイス１０６を通じてカードリーダー部２０にセットされたメモリカードから画像データを読み込む。ここで読み込んだ画像データとしては、ＪＰＥＧ形式やビットマップ形式等の各種形式により記録された画像データが含まれる。ＣＰＵ９０は、メモリカードから読み出した画像データを画像処理部１０２に送出して、画像処理部１０２にてプリンタ部３０にて印刷処理を実行するためのデータに変換する。
【００５９】
プリンタ制御部１０４は、ＣＰＵ９０からの命令に従って、画像処理部１０２から出力された２値データ（又は２ビットデータ）に基づき、プリンタヘッド２１からインクを吐出する。このとき、プリンタ制御部１０４は、プリンタ部３０のプリンタ用キャリッジ４１を移動させる駆動機構２４のキャリッジモータ４２を制御するとともに、媒体を搬送する搬送機構３６の搬送モータ１５を制御する。このようにしてプリンタ制御部１０４は、媒体に対して印刷を施す。
【００６０】
＝＝＝従来の問題点及び解決方法＝＝＝
＜従来の問題点＞
ところで、このような複合装置１にあっては、次のような問題があった。すなわち、複合装置の輸送終了後、複合装置１の使用に際しては、ユーザ等により固定機構が解除されて、スキャナヘッド６０は再び移動可能な状態になるはずである。ところが、ユーザ等が固定機構の解除を忘れていたり、または知らなかったりして、固定機構が解除されない場合があった。このように固定機構が解除されなかった場合には、複合装置１の電源が入れられたときに、装置全体の初期動作にてスキャナヘッド６０が動くことができず、大きな異音等が発生して、装置としてエラーとなってしまった。このように装置としてエラーとなった場合には、装置全体の機能が停止してしまうことになり、本来スキャナ部１０のみが使用不能であるにもかかわらず、プリンタ部３０にも大きな影響を与えてしまうといった別の問題も発生した。
【００６１】
＜解決方法＞
そこで、本実施形態では、スキャナヘッド６０が固定機構により固定されている否かを検出する検出部を設け、この検出部によってスキャナヘッド６０が固定機構により固定されていると検出された場合には、スキャナ部１０の動作を制限してスキャナヘッド６０の移動を禁止する一方、プリンタ部３０についてはその動作を許容することとする。つまり、スキャナヘッド６０が固定されていても、プリンタ部３０については普通通りに動作するのである。なお、この検出部によってスキャナヘッド６０が固定機構により固定されていないと検出された場合には、複合装置１の各機能について制限をすることなく許容することとする。
【００６２】
＝＝＝スキャナヘッドの固定方法＝＝＝
ここで、スキャナ部１０のスキャナヘッド６０を移動しないように固定する固定機構について説明する。図７〜図８Ｂは、スキャナヘッド６０を固定する固定機構について詳しく説明したものである。図７は、スキャナヘッド６０を固定するときに操作される固定用レバー２８の一例について説明したものである。図８Ａは、スキャナヘッド６０の固定機構を説明した平面図である。図８Ｂは、スキャナヘッド６０の固定機構を説明した側面図である。
【００６３】
＜固定用レバー＞
固定用レバー２８は、図７に示すように、レバー本体２９Ａと、このレバー本体２９Ａを収容する凹部２９Ｂとを有している。レバー本体２９Ａは、凹部２９Ｂの内部にて、ここでは上下方向にスライド移動可能に設けられている。このレバー本体２９Ａは、凹部２９Ｂの内部にて移動させられることで、スキャナヘッド６０を移動しないように固定機構により固定したり、またスキャナヘッド６０を移動することができるように固定状態から解除したりする。本実施形態では、レバー本体２９Ａが上方の位置に移動したときに、スキャナヘッド６０が固定される。また、レバー本体２９Ａが下方の位置に移動したときに、スキャナヘッド６０が固定状態から解放される。
【００６４】
＜固定機構＞
一方、固定機構１２０は、図８Ａおよび図８Ｂに示すように、スキャナヘッド６０側に一体的に突出して設けられた第１係合部１２２と、レバー本体２９Ａ側に一体的に、前記第１係合部１２２に係合可能に設けられた第２係合部１２４とを有している。さらに、本実施形態にあっては、第２係合部１２４が第１係合部１２２に係合しているか否かを検出する検出部１２８が設けられている。
【００６５】
第１係合部１２２は、図８Ａに示すように、スキャナヘッド６０の後端部６０Ａからスキャナヘッド６０の移動方向Ｂに沿って垂直に突出して形成されたものである。この第１係合部１２２には、第２係合部１２４が差し込まれる凹部（図示外）が設けられている。そして、図８Ｂに示すように、この凹部（図示外）に第２係合部１２４が差し込まれることによって、第１係合部１２２が第２係合部１２４と係合して、スキャナヘッド６０が第２係合部１２４に係止されるようになっている。これによって、スキャナヘッド６０は、固定機構１２０により移動しないように固定されるようになっている。
【００６６】
他方、第２係合部１２４は、図８Ｂに示すように、レバー本体２９Ａに連結部１２６を介して一体的に設けられている。レバー本体２９Ａが、図８Ａに示すように、矢印Ｃの方向に沿って移動すると、当該レバー本体２９Ａと一体的に第２係合部１２４が矢印Ｃの方向に沿って移動するようになっている。これによって、第２係合部１２４は、レバー本体２９Ａが矢印Ｃの方向に沿って移動されると、第１係合部１２２の凹部（図示外）に差し込まれたり、また抜き出されたりする。つまり、第１係合部１２２は、スキャナヘッド６０側の第１係合部１２２に係合したり、またその係合が解除されたりする。このことから、固定機構１２０は、レバー本体２９Ａの移動によってスキャナヘッド６０を移動しないように固定したり、また固定状態を解除したりする。
【００６７】
さらに、検出部１２８は、第２係合部１２４が第１係合部１２２に係合しているか否かを検出する。ここで、検出部１２８は、図８Ａおよび図８Ｂに示すように、第２係合部１２４の近傍に配置されている。これにより、検出部１２８は、第２係合部１２４が所定位置にあるか否かを検出する。ここでは、検出部１２８により第２係合部１２４が所定位置にあると検出されたときには、第２係合部１２４は第１係合部１２２の凹部（図示外）から抜き出されて第１係合部１２２との係合は解除されている。すなわち、スキャナヘッド６０の固定状態は解除されている。一方、検出部１２８により第２係合部１２４が所定位置にはないと検出されたときには、第２係合部１２４が第１係合部１２２の凹部（図示外）に差し込まれて第１係合部１２２に係合している。すなわち、スキャナヘッド６０は移動しないように固定されている。
【００６８】
本実施形態では、この検出部１２８がフォトインタラプタ（図示外）により構成されている。なお、このフォトインタラプタ（図示外）は、「検出センサ」に相当する。フォトインタラプタは、発光部と受光部とを有する素子で、発光部と受光部とが相互に対向する位置にそれぞれ設けられ、発光部から発せられた光が受光部にて受光されるようになっている。そして、このフォトインタラプタは、発光部から発せられた光が遮られて受光部に到達しないことによって、物体を検知するようになっている。ここでは、第２係合部１２４が所定位置にある場合には、発光部から発せられた光が第２係合部１２４によって遮られるようになっている。これによって、検出部１２８は、第２係合部１２４が所定位置にあるか否かを検出する。つまり、第２係合部１２４が所定位置にあると検出した場合には、検出部１２８は、第２係合部１２４が第１係合部１２２に係合していないと検出することができる。一方、第２係合部１２４が所定位置にはないと検出した場合には、検出部１２８は、第２係合部１２４が第１係合部１２２に係合していると検出することができる。このようにしてスキャナヘッド６０が固定機構１２０によって固定されているか否かを検出部１２８により検出することができる。
【００６９】
＝＝＝制御部の動作＝＝＝
制御部５０は、検出部１２８によりスキャナヘッド６０が固定機構１２０により固定されていないと検出された場合には、制御部５０は、スキャナ部１０およびプリンタ部３０の双方の動作を許容する。一方、検出部１２８によりスキャナヘッド６０が固定機構１２０により固定されていると検出された場合には、制御部５０は、プリンタ部３０の動作は許容するものの、スキャナ部１０の動作として少なくともスキャナヘッド６０の移動動作を禁止する。
【００７０】
図９は、ＣＰＵ９０の処理フローの一例を示したフローチャートである。スキャナヘッド６０が固定機構１２０により固定されているか否かの判定は、ＣＰＵ９０により行う。ＣＰＵ９０は、スキャナヘッド６０が固定機構１２０により固定されているか否かの判定を行う際に、まず、検出部１２８の検出結果を取得する（Ｓ２０２）。次に、ＣＰＵ９０は、このようにして取得した検出部１２８の検出結果に基づき、スキャナヘッド６０が固定機構１２０により固定されているか否かを判定する。具体的には、ＣＰＵ９０は、検出部１２８からの検出結果に基づき、第２係合部１２４が検出部１２８により検出されたか否かを調べる（Ｓ２０４）。
【００７１】
ここで、第２係合部１２４が検出部１２８により検出された場合には、第２係合部１２４がスキャナヘッド６０側の第１係合部１２２に係合されておらず、所定位置にあるとして、スキャナヘッド６０が固定機構１２０によって固定されていない（固定解除）と判定する（Ｓ２０６）。一方、第２係合部１２４が検出部１２８により検出されていない場合には、第２係合部１２４が所定位置になく、スキャナヘッド６０側の第１係合部１２２に係合されているとして、スキャナヘッド６０が固定機構１２０によって固定されていると判定する（Ｓ２１０）。
【００７２】
そして、ＣＰＵ９０は、スキャナヘッド６０が固定機構１２０によって固定されていないと判定した場合には、スキャナ部１０およびプリンタ部３０の双方の動作を許容する（Ｓ２１２）。一方、スキャナヘッド６０が固定機構１２０によって固定されていると判定した場合には、ＣＰＵ９０は、プリンタ部の動作を許容するが、スキャナ部１０の動作については少なくともスキャナヘッド６０の移動動作を禁止してスキャナ部１０の全体の動作を制限する（Ｓ２０８）。
【００７３】
＝＝＝検出タイミング＝＝＝
検出部１２８によりスキャナヘッド６０が固定機構１２０により固定されているか否かの検出が行われるタイミングとしては、次の（１）〜（４）のようなタイミングがある。
【００７４】
（１）複合装置１の電源投入時
複合装置１の電源が投入されるときに、検出部１２８によりスキャナヘッド６０が固定機構１２０により固定されているか否かを検出する。これによって、スキャナ部１０のイニシャライズ動作にてスキャナヘッド６０が動作する際に、スキャナヘッド６０が固定されているか否かをチェックすることができる。
【００７５】
（２）ホストコンピュータ１１０からの画像読み取り命令受信時
複合装置１に有線または無線により通信可能に接続されたパーソナルコンピュータ等のホストコンピュータ１１０からスキャナ部１０に対する画像読み取り命令を受信したときに、検出部１２８によりスキャナヘッド６０が固定機構１２０により固定されているか否かを検出する。これによって、ホストコンピュータ１１０からの命令に従って、スキャナ部１０において原稿台１１に設置された原稿５から画像を読み取る画像読み取り動作を実行する際に、スキャナヘッド６０が固定されているか否かをチェックすることができる。
【００７６】
（３）コピー実行時
コピーモードにおいて、操作パネル２上のスタートボタン８７（８７Ｂ，８７Ｃ）が操作されて、ユーザ等からコピー命令を受信したときに、検出部１２８によりスキャナヘッド６０が固定機構１２０により固定されているか否かを検出する。これによって、コピーモードにて、原稿台１１に設置された原稿５から画像をスキャナ部１０にて読み取って、プリンタ部３０にて媒体に印刷をするコピー動作を実行する際に、スキャナヘッド６０が固定されているか否かをチェックすることができる。
【００７７】
（４）原稿台カバー１２のオープン時
原稿台カバー１２がユーザ等によりオープンされたときに、検出部１２８によりスキャナヘッド６０が固定機構１２０により固定されているか否かを検出する。本実施形態では、スキャナヘッド６０を固定機構１２０により固定するための固定用レバー２８が、図２にて説明したように、原稿台１１の左側部に設けられている。このことから、原稿台カバー１２がユーザ等によりオープンされたときに、スキャナヘッド６０が固定機構１２０により固定されているか否かを調べ、スキャナヘッド６０が固定されていることが判明すれば、スキャナヘッド６０の固定解除をユーザ等に促すことができる。
【００７８】
原稿台カバー１２がオープンされたか否かについては、これを検出するセンサによりチェックしても良く、また、このようなセンサを備えない場合には、スキャナヘッド６０に設けられた画像読み取りを行うためのセンサ、即ちイメージセンサ７２を利用して、原稿台カバー１２のオープンを検出しても良い。
【００７９】
（５）マークーシート印刷時
後にスキャナ部１０にて読み取られるマークシート（「オーダーシート」ともいう）をプリンタ部３０にて印刷するときに、検出部１２８によりスキャナヘッド６０が固定機構１２０により固定されているか否かを検出する。ここで印刷されるマークシートは、次のようなものである。
【００８０】
図１０は、そのマークシート１４８の一例を説明したものである。このマークシート１４８は、同図に示すように、その上部に印刷設定マーク欄１５０と、その下部に印刷枚数設定マーク欄１５２とを有している。印刷設定マーク欄１５０には、「用紙サイズ」や「用紙種類」、「画質」、「縁無し印刷」を設定するための記入欄が設けられている。また、印刷枚数設定マーク欄１５２には、これから印刷しようとする写真１５４と、その写真１５４毎にそれぞれ個別に印刷枚数を設定するための記入欄１５６が設けられている。ユーザ等は、マークシート１４８上のこれらの記入欄１５６を各々鉛筆等の筆記具にて塗り潰すことで設定を行う。
【００８１】
そして、このように記入欄１５６が塗り潰されたマークシート１４８がユーザ等により原稿台１１上にセットされ、マークシート１４８の記入面がスキャナ部１０により読み取られる。これによって、ＣＰＵ９０は、マークシート１４８からユーザ等からの設定情報を取得する。
【００８２】
このようにマークシート１４８は、後にスキャナ部１０によって記入面が読み取られることから、マークーシート１４８の印刷時に、スキャナヘッド６０が固定機構１２０により固定されているか否かを検出部１２８により調べることで、スキャナヘッド６０が固定されていることが判明すれば、スキャナヘッド６０の固定解除をユーザ等に促すことができる。
【００８３】
以上、ここでは、検出部１２８によりスキャナヘッド６０が固定機構１２０により固定されているか否かの検出が行われるタイミングとして、（１）〜（５）のタイミングを例にして説明したが、スキャナヘッド６０が固定されているか否かの検出が行われるタイミングとしては、これら（１）〜（５）以外の他のタイミングであっても構わない。また、検出部１２８によりスキャナヘッド６０が固定機構１２０により固定されているか否かの検出が、複合装置１の電源が投入されている間、所定の時間間隔等にて常時行われても良い。
【００８４】
＝＝＝スキャナヘッド固定の報知＝＝＝
検出部１２８によりスキャナヘッド６０が固定機構１２０により固定されていると検出された場合には、これをユーザ等に対して報知するのが好ましい。スキャナヘッド６０が固定されていることを報知する方法としては、次のような方法がある。
【００８５】
（Ａ）液晶ディスプレイ８０等の表示部による報知
複合装置１に設けられた液晶ディスプレイ８０等の表示部にメッセージ等によりアラームを表示することで、ユーザ等に対してスキャナヘッド６０が固定されていることを報知する。この場合、液晶ディスプレイ８０等の表示部に表示するメッセージ等のアラームとしては、スキャナヘッド６０が固定されていることを表示しても良く、また固定用レバー２８の解除を促す内容のメッセージ等のアラームを表示しても良い。
【００８６】
（Ｂ）ブザー等による報知
複合装置１に設けられたブザー等により音を発生させて、スキャナヘッド６０が固定されていることをユーザ等に報知する。この場合、例えば、前述した、検出部１２８によりスキャナヘッド６０が固定機構１２０により固定されているか否かの検出が行われるタイミング（１）〜（４）と連動して、報知するようにする。なお、（Ｂ）の方法については、先の（Ａ）の方法と組み合わせて使用されても良い。
【００８７】
以上、ここでは、検出部１２８によりスキャナヘッド６０が固定機構１２０により固定されていると検出された場合に、これをユーザ等に報知する方法としては、これら（Ａ）および（Ｂ）以外の他のタイミングであっても構わない。
【００８８】
＝＝＝スキャナ動作抑制モード＝＝＝
また、検出部１２８によりスキャナヘッド６０が固定機構１２０により固定されていると検出された場合には、複合装置１は、スキャナ動作抑制モードにて動作しても良い。このスキャナ動作抑制モードとは、具体的には、次のようなモードである。すなわち、スキャナヘッド６０の露光ランプ６６の電源をオフまたは省電力モードに設定したり、またスキャナヘッド６０のイメージセンサ７２の電源をオフまたは省電力モードに設定したり、スキャナヘッド６０の駆動モータ７７等の駆動機構６２の電源をオフまたは省電力モードに設定したり、その他スキャナ部１０に関わる電気的構成部の電源をオフまたは省電力モードに設定したりするモードのことである。すなわち、このスキャナ動作抑制モードでは、スキャナ部１０が低消費電力状態にて作動するモードのことである。
【００８９】
このようにスキャナ部１０が低消費電力状態にて作動することで、検出部１２８によりスキャナヘッド６０が固定機構１２０により固定されていないと検出された場合に比べて、複合装置１の全体の消費電力を抑制することができる。これにより、無駄な電力消費を回避することができる。
【００９０】
＝＝＝まとめ＝＝＝
以上本実施形態にあっては、スキャナヘッド６０が固定機構１２０により移動しないように固定されているか否かを検出する検出部１２８を備え、この検出部１２８によってスキャナヘッド６０が固定されているか否かを検出するから、スキャナヘッド６０が固定されているときには、スキャナヘッド６０の動作を禁止する一方、プリンタ部３０の動作を許容することができる。これにより、複合装置１の全体の機能が停止してしまうのを回避することができ、複合装置１の各機能について制限をすることなく許容することができる。
【００９１】
さらに、このような検出は、（１）複合装置１の電源投入時や、（２）ホストコンピュータ１１０からの画像読み取り命令受信時、（３）コピー実行時、（４）原稿台カバー１２のオープン時、（５）マークーシート印刷時、などにおいて実行されるから、スキャナヘッド６０が固定機構１２０により移動しないように固定されているか否かをスムーズに検出して、その結果をユーザ等に知らせることができる。
【００９２】
またさらに、スキャナヘッド６０が固定機構１２０により固定されている場合には、液晶ディスプレイ８０等の表示部にメッセージ等を表示したり、またブザー等により音を発生させて、ユーザ等にエラー等として報知するから、ユーザ等が輸送後、固定用レバー２８の解除を忘れていたとしても、ユーザ等に対してこれを知らせて固定用レバー２８の解除を促すことができる。
【００９３】
またさらに、スキャナヘッド６０が固定機構１２０により固定されている場合には、複合装置１の全体がスキャナ動作抑制モードに切り替わることで、露光ランプ６６やイメージセンサ７２、駆動モータ７７等の駆動機構６２などといった、スキャナ部１０に関わる電気的構成部の電源がオフまたは省電力モードに設定され、複合装置１の全体の消費電力を抑制することができる。これにより、無駄な電力消費を回避することができる。
【００９４】
＝＝＝その他の実施の形態＝＝＝
以上、一実施形態に基づき、複合装置等について説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に含まれるものである。
【００９５】
＜印刷部について＞
前述した実施の形態では、「印刷部」として、媒体に向けてインクを吐出して印刷を施すプリンタ部３０を例にして説明したが、ここでいう「印刷部」にあっては、必ずしもこのようなインクを吐出して印刷を施すプリンタ部３０（印刷部）には限られない。つまり、媒体に印刷を施すのであれば、どのようなタイプの印刷部であっても良く、例えば、レーザービーム方式の印刷部などのその他のタイプの印刷部であっても構わない。
【００９６】
＜画像読み取り部について＞
前述した実施の形態では、「画像読み取り部」として、原稿５が設置される原稿台１１を備えたスキャナ部１０を例にして説明したが、ここでいう「画像読み取り部」にあっては、このようなスキャナ部１０には限られず、他のタイプの「画像読み取り部」であっても構わない。
【００９７】
＜ヘッドについて＞
前述した実施の形態では、「ヘッド」として、露光ランプ６６やイメージセンサ７２などを備えたスキャナヘッド６０を例にして説明したが、ここでいう「ヘッド」にあっては、必ずしもこのようなスキャナヘッド６０に限られず、画像読み取り部（スキャナ部１０）が画像読み取り動作を実行する際に、原稿５に対して相対的に移動するのであれば、どのようなタイプの「ヘッド」であっても構わない。
【００９８】
＜固定機構について＞
前述した実施の形態では、「固定機構」として、スキャナヘッド６０側の第１係合部１２２と、レバー本体２９Ａ側の第２係合部１２４とを有し、これら第１係合部１２２と第２係合部１２４とが相互に係合してスキャナヘッド６０を固定する固定機構１２０を例にして説明したが、ここでいう「固定機構」にあっては、必ずしもこのような固定機構１２０である必要はない。すなわち、ここでいう「固定機構」にあっては、ヘッド（スキャナヘッド６０）を移動しないように固定する機構であれば、どのようなタイプの機構であっても良い。
【００９９】
＜検出部について＞
前述した実施の形態では、「検出部」として、固定機構１２０を構成する第２係合部１２４が所定位置にあるか否かを検出する検出部１２８を例にして説明したが、ここでいう「検出部」にあっては、必ずしもこのような検出部１２８である必要はない。すなわち、ここでいう「検出部」にあっては、固定機構１２０によりヘッド（スキャナヘッド６０）が固定されているか否かを検出する検出部であれば、どのようなタイプの検出部であっても良く、必ずしもフォトインタラプタ等の光学センサを備えている必要はない。
【０１００】
＜制御部について＞
前述した実施の形態では、「制御部」として、ＣＰＵ９０やメモリ９２、外部通信インターフェイス９４、操作入力インターフェイス９６、表示制御部９８、スキャナ制御部１００、画像処理部１０２、プリンタ制御部１０４、カードインターフェイス１０６を備えた構成を例にして説明したが、ここでいう「制御部」にあっては、必ずしもこのような構成を備えている必要はない。つまり、ここでいう「制御部」にあっては、画像読み取り部（スキャナ部１０）および印刷部（プリンタ部３０）を制御する制御部であれば良く、どのようなタイプの制御部であっても構わない。
【０１０１】
＜複合装置について＞
前述した実施の形態では、「複合装置」として、図１〜図６に示すような、上部に画像読み取り部（スキャナ部１０）が設けられ、下部に印刷部（プリンタ部３０）が設けられた複合装置１を例にして説明したが、ここでいう「複合装置」にあっては、必ずしもこのようなタイプの複合装置には限られない。つまり、ここでいう「複合装置」にあっては、画像読み取り部（スキャナ部１０）と、印刷部（プリンタ部３０）とを備えれば、どのようなタイプの複合装置であっても構わない。
【０１０２】
＜画像読み取りセンサについて＞
前述した実施の形態では、「画像読み取りセンサ」として、イメージセンサ７２を例にして説明したが、ここでいう「画像読み取りセンサ」にあっては、必ずしもこのようなイメージセンサ７２には限られない。つまり、ここでいう「画像読み取りセンサ」にあっては、ヘッド（スキャナヘッド６０）に設けられ、原稿から画像を読み取るためのセンサであれば、どのようなタイプのセンサであっても構わない。
【０１０３】
＜操作部について＞
前述した実施の形態では、「操作部」として、原稿台１１の左側部に設けられた固定用レバー２８を例にして説明したが、ここでいう「操作部」にあっては、必ずしもこのような固定用レバー２８には限られない。つまり、ここでいう「操作部」にあっては、ユーザが固定機構によりヘッド（スキャナヘッド６０）を固定するための操作部であれば、どのようなタイプの操作部であっても構わない。
【０１０４】
＜固定用レバーについて＞
前述した実施の形態では、「固定用レバー」として、原稿台１１の左側部に設けられ、上下方向に移動するレバー本体２９Ａを備えた固定用レバー２８（図２、図７参照）を例にして説明したが、ここでいう「固定用レバー」にあっては、必ずしもこのようなレバーには限られない。つまり、ここでいう「固定用レバー」にあっては、ユーザが固定機構によりヘッド（スキャナヘッド）を固定するためのレバーであれば、どのようなタイプのレバーであっても構わない。
【０１０５】
＜検出センサについて＞
前述した実施の形態では、「検出センサ」としてフォトインタラプタにより検出部１２８が構成される構成が開示されていたが、ここでいう「検出センサ」にあってはこのようなフォトインタラプタに限らず、スキャナヘッド６０（「ヘッド」）が固定機構により移動しないように固定されているか否かを調べるために、固定用レバー２８（第２係合部１２４）が所定位置にあるか否かを検出するセンサであれば、どのようなセンサであっても構わない。
【０１０６】
＜報知部について＞
前述した実施の形態では、「報知部」として、液晶ディスプレイ８０等の表示部や、音を発生させるブザー等を備えた場合を例にして説明したが、ここでいう「報知部」にあっては必ずしもこのような報知部に限定されるものではない。つまり、ここでいう「報知部」としては、例えば、複合装置１に接続されたホストコンピュータ１１０の表示部の画面にメッセージ等を表示する、ホストコンピュータ１１０にインストールされたドライバ等のプログラムであっても構わない。もちろん、ここでいう「報知部」としては、検出部によってスキャナヘッド６０（ヘッド）が固定機構により固定されていると検出された場合にこれを報知する報知部であれば、どのようなタイプの報知部であっても構わない。
【０１０７】
＜表示部について＞
前述した実施の形態では、「表示部」として、操作パネル２に設けられた液晶ディスプレイ８０を例にして説明したが、ここでいう「表示部」にあっては、必ずしもこのような液晶ディスプレイ８０に限らない。すなわち、メッセージ等を表示することができれば、どのようなタイプの表示部であっても構わない。
【０１０８】
＜マークシートについて＞
前述した実施の形態では、「マークシート」として、図１０に示すような印刷設定マーク欄１５０と、印刷枚数設定マーク欄１５２とを有するマークシート１４８を一例としてあげて説明したが、ここでいう「マークシート」にあっては、このようなマークシートには限られない。つまり、ここでいう「マークシート」は、画像読み取り部により後に原稿として読み取られるマークシートであれば、どのようなタイプのマークシートであっても構わない。
【図面の簡単な説明】
【０１０９】
【図１】複合装置の一例を説明する斜視図。
【図２】複合装置のスキャナ部のカバーを開いたときの斜視図。
【図３】複合装置の印刷部を示す斜視図。
【図４】複合装置のスキャナ部及びプリンタ部の構成を説明する説明図。
【図５】複合装置の操作パネルを説明する説明図。
【図６】複合装置の制御部のシステム構成の一例の説明図。
【図７】本実施形態の固定用レバーの説明図。
【図８Ａ】本実施形態のスキャナヘッドの固定機構を説明するための平面図。
【図８Ｂ】本実施形態のスキャナヘッドの固定機構を説明するための側面図。
【図９】制御部の処理フローの一例を説明するフローチャート。
【図１０】マークシートの一例の説明図。
【符号の説明】
【０１１０】
１  複合装置、２  操作パネル、５  原稿、６  上部、９  下部、１０  スキャナ部、
１１  原稿台、１２  原稿台カバー、１４  プラテン、１５  搬送モータ、
１７Ａ  搬送ローラ、２０  カードリーダー部、２１  プリンタヘッド、
２２  背部給紙口、２３  前部給紙口、２４  駆動機構、２５  排紙トレイ、
２６  インクカートリッジ、２７  インクカートリッジカバー、２８  固定用レバー、
２９Ａ  レバー本体、２９Ｂ  凹部、３０  プリンタ部、３４  ヒンジ部、
３６  搬送機構、４１  キャリッジ、４２  キャリッジモータ、４４  プーリ、
４５  タイミングベルト、４６  ガイドレール、５０  制御部、
５１  リニア式エンコーダ符号板、５２  検出部、５３  紙検知センサ、
５６  ロータリ式エンコーダ、６０  スキャナヘッド、６０Ａ  後端部、
６２  駆動機構、６４  ガイド、６６  露光ランプ、７０  レンズ、
７２  イメージセンサ、７４  タイミングベルト、７５  プーリ、７６  プーリ、
７７  駆動モータ、８０  液晶ディスプレイ、８２  電源ボタン、８３  設定ボタン、
８４  ストップボタン、８５  モード選択ボタン、８６  カーソル操作ボタン群、
８７  スタートボタン、８７Ｃ  カラーボタン、８７Ｂ  モノクロボタン、
９０  ＣＰＵ、９２  メモリ、９４  外部通信インターフェイス、
９６  操作入力インターフェイス、９８  表示制御部、１００  スキャナ制御部、
１０２  画像処理部、１０４  プリンタ制御部、１０６  カードインターフェイス、
１０８  バス、１１０  ホストコンピュータ、１２０  固定機構、
１２２  第１係合部、１２４  第２係合部、１２６  連結部、１２８  検出部、
１４８  マークシート、１５０  印刷設定マーク欄、１５２  印刷枚数設定マーク欄、
１５４  写真、１５６  記入欄
【図１】
2007243611.tif 000003
【図２】
2007243611.tif 000004
【図３】
2007243611.tif 000005
【図４】
2007243611.tif 000006
【図５】
2007243611.tif 000007
【図６】
2007243611.tif 000008
【図７】
2007243611.tif 000009
【図８Ａ】
2007243611.tif 000010
【図８Ｂ】
2007243611.tif 000011
【図９】
2007243611.tif 000012
【図１０】
2007243611.tif 000013